(57)【要約】【課題】容易に紐状体の長さを調整することができる巻取装置及びランプを提供する。【解決手段】巻取装置３は、収容体３５と、収容体３５の外部に配され、軸回りに回動可能であるダイヤル３３と、円盤状をなし、収容体３５に収容され、ダイヤル３３に対向しており、ダイヤル３３の回転に連動して、軸回りに回転可能であるリール３１と、収容体３５から引き出されており、リール３１の回転によりリール３１の周面に巻き取られるワイヤとを備える。【選択図】図２
2018165206.tif 000002
【特許請求の範囲】
【請求項１】
筐体と、
該筐体の外部に配され、軸回りに回動可能である第１回転体と、
円盤状をなし、前記筐体に収容され、前記第１回転体に対向しており、前記第１回転体の回転に連動して、軸回りに回転可能である第２回転体と、
前記筐体から引き出されており、前記第２回転体の回転により前記第２回転体の周面に巻き取られる紐状体と
を備えることを特徴とする巻取装置。
【請求項２】
前記第１回転体及び前記第２回転体の内の一方における対向面から対向方向に突出しており、周上に並ぶ複数の挿入体と、
前記第１回転体及び前記第２回転体の内の他方に設けられ、前記挿入体夫々が挿入される複数の挿入孔と
を備えることを特徴とする請求項１に記載の巻取装置。
【請求項３】
円板状をなし、一面が前記筐体の内面に対向し、他面が前記第２回転体に対向しており、軸方向に移動可能であり、軸回りの回転が規制されている保持体と、
該保持体の一面から突出し、前記筐体の前記内面に接し、軸方向に撓むことが可能である撓み部と、
前記保持体の他面から前記第２回転体側に突出し、基端部から突出端部かけて前記第２回転体の回転に係る一方向に沿って傾斜しており、周上に並ぶ複数の突起と、
前記第２回転体に設けられ、前記突起が挿入される複数の凹部と
を備えることを特徴とする請求項１又は請求項２に記載の巻取装置。
【請求項４】
前記突起が前記凹部に挿入されている場合、前記突起の突出端面は、前記凹部の底面に接することを特徴とする請求項３に記載の巻取装置。
【請求項５】
前記保持体の周面から径方向に突出する係止体と、
前記筐体の内部に設けられ、前記係止体が挿入される係止孔と
を備えることを特徴とする請求項３又は請求項４に記載の巻取装置。
【請求項６】
前記第２回転体の中心部に貫設されている貫設孔と、
前記保持体の他面の中心部から突出し、前記貫設孔を挿通し、前記第２回転体を回転可能に保持する軸部と
を備えることを特徴とする請求項３から請求項５までのいずれか一つに記載の巻取装置。
【請求項７】
前記第１回転体の中心部に設けられた貫通孔と、
一面が前記第１回転体に対向している円板と、
軸状をなし、前記円板の一面の中央部から突出し、前記貫通孔を挿通しており、前記軸部に固定されている突出部と
を備えることを特徴とする請求項６に記載の巻取装置。
【請求項８】
請求項１から７までのいずれか一つに記載の巻取装置を有する環状の接続体と、
該接続体に接続されている照明部と
を備えることを特徴とするランプ。
【請求項９】
前記接続体は、
二つの前記巻取装置と、
前記二つの巻取装置夫々の前記筐体及び前記照明部を連結する伸縮可能な連結体と
前記巻取装置が備える紐状体を介して前記二つの巻取装置に接続され、前記照明部に電力を供給するバッテリー部と
を備えることを特徴とする請求項８に記載のランプ。
【請求項１０】
前記二つの巻取装置は、前記紐状体を巻き取る方向が反対であることを特徴とする請求項９に記載のランプ。
【請求項１１】
二本の紐状体と、
該二本の紐状体を接続する接続部と、
前記紐状体夫々を巻き取る二つの巻取装置と、
該二つの巻取装置を連結する連結体と、
該連結体に接続されている照明部と
を備えることを特徴とするランプ。
【発明の詳細な説明】
【技術分野】
【０００１】
本発明は、紐状体を巻き取る巻取装置及びランプに関する。
【背景技術】
【０００２】
従来、対象としての身体の一部に各種の機能を有する物品を装着し、該物品を携行して使用する装身具が普及している。この種の装身具の一つとして、周囲を照らす照明部を頭部に装着するヘッドランプがある。ヘッドランプは、照明部と、該照明部が接続されている環状の接続体とを備える。ヘッドランプは、接続体の環内に頭部を通すことにより装着する。ここで、装着部位である頭部の大きさには個人差があるので、接続体は、一般的に環の大きさを調整できるように構成されている（例えば、特許文献１参照）。
【０００３】
特許文献１に開示されたヘッドランプにおいては、結束バンドと、該結束バンドに接続された保持部材と、保持部材及び結束バンドを連結するバックルとにより接続体が形成されており、保持部材を介して接続体に照明部を接続している。また、ヘッドランプにおいて、結束ベルトの中途部に結束バンドの長さを調整する長さ調整具が設けられており、結束バンドの長さ調整により、接続体の環の大きさが調整される。長さ調整具は、ヘッドランプを頭部から脱離した状態で調整を行う構成となっている。
【先行技術文献】
【特許文献】
【０００４】
【特許文献１】特開２００６−２１００３０号公報
【発明の概要】
【発明が解決しようとする課題】
【０００５】
しかしながら、特許文献１に記載のヘッドランプにおいて、頭部にヘッドランプを取り付けた後に、使用者が感じる結束ベルトによる締付けの程度等に応じて、締付けの度合いを変更する場合、ヘッドランプを装着した状態で結束ベルトの長さの調整を行うことは容易ではない。また、調整の度にヘッドランプを脱離して行う場合は手間がかかる上、調整及び脱着の際の落下及び周囲への衝突等により破損する等の不具合を招来するという問題がある。この問題は、ゴーグル、ポーチ等の他の装身具においても同様に発生する虞がある。
【０００６】
本発明は斯かる事情に鑑みてなされたものであり、容易に紐状体の長さを調整することができる巻取装置及びランプを提供することを目的とする。
【課題を解決するための手段】
【０００７】
本発明に係る巻取装置は、筐体と、該筐体の外部に配され、軸回りに回動可能である第１回転体と、円盤状をなし、前記筐体に収容され、前記第１回転体に対向しており、前記第１回転体の回転に連動して、軸回りに回転可能である第２回転体と、前記筐体から引き出されており、前記第２回転体の回転により前記第２回転体の周面に巻き取られる紐状体とを備えることを特徴とする。
【０００８】
本発明によれば、第１回転体を回転させることにより、第２回転体により紐状体を巻き取ることができる。したがって、容易に紐状体の長さを調整することができる。
【０００９】
これにより、物品を身体に装着する装身具において、巻取装置を使用して物品が接続される環状の接続体を形成した場合、巻取装置の巻き取りにより紐状体の長さ調整できるので、容易に接続体の環の大きさを調整できる。
【００１０】
本発明に係る巻取装置は、前記第１回転体及び前記第２回転体の内の一方における対向面から対向方向に突出しており、周上に並ぶ複数の挿入体と、前記第１回転体及び前記第２回転体の内の他方に設けられ、前記挿入体夫々が挿入される複数の挿入孔とを備えることを特徴とする。
【００１１】
本発明によれば、挿入体を挿入孔に挿入することにより、第１回転体及び第２回転体を回転方向に係止することができる。これにより、第１回転体の回転に連動させて第２回転体を回転させることができる。
【００１２】
本発明に係る巻取装置は、円板状をなし、一面が前記筐体の内面に対向し、他面が前記第２回転体に対向しており、軸方向に移動可能であり、軸回りの回転が規制されている保持体と、前記保持体の一面から突出し、前記筐体の前記内面に接し、軸方向に撓むことが可能である撓み部と、前記保持体の他面から前記第２回転体側に突出し、基端部から突出端部かけて前記第２回転体の回転に係る一方向に沿って傾斜しており、周上に並ぶ複数の突起と、前記第２回転体に設けられ、前記突起が挿入される複数の凹部とを備えることを特徴とする。
【００１３】
本発明によれば、保持体は軸方向に移動可能であり、また、突起は基端部から突出端部かけて第２回転体の回転に係る一方向に沿って傾斜している。したがって、凹部に突起が挿入されている場合、第２回転体の一方向への回転に伴って、突起の傾斜により保持体は、筐体の内面側に押し込まれて移動し、凹部から突起が脱離する。このとき、撓み部は撓んだ状態となる。突起が凹部から脱離している場合、第２回転体の一方向への回転に伴って、突起が凹部に対向する位置まで移動した場合、撓み部の付勢力により、保持体が元の位置に戻り、突起が凹部に挿入される。したがって、第２回転体の回転に伴って、凹部に突起を挿脱できる。
【００１４】
また、突起が凹部に接することにより、第２回転体の一方向と逆方向の回転が規制される。したがって、巻取体の回転方向が一の方向に決まり、操作性が向上する。
【００１５】
本発明に係る巻取装置は、前記突起が前記凹部に挿入されている場合、前記突起の突出端面は、前記凹部の底面に接することを特徴とする。
【００１６】
本発明によれば、第２回転体の回転に伴って、突起が凹部に挿入される度に、突起の突出端面と凹部の底面との衝突により音が発生する。これにより、使用者は、第１回転体の回転により紐状体を巻き取っていることを認識しやすい。
【００１７】
本発明に係る巻取装置は、前記保持体の周面から径方向に突出する係止体と、前記筐体の内部に設けられ、前記係止体が挿入される係止孔とを備えることを特徴とする。
【００１８】
本発明によれば、保持体の軸回りの回転を規制することができる。
【００１９】
本発明に係る巻取装置は、前記第２回転体の中心部に貫設されている貫設孔と、前記保持体の他面の中心部から突出し、前記貫設孔を挿通し、前記第２回転体を回転可能に保持する軸部とを備えることを特徴とする。
【００２０】
本発明によれば、保持体は、軸部により第２回転体を回転可能に保持することができる。また、軸部を押し込むことにより撓み部が筐体の内面側に撓み、保持体及び第２回転体が軸方向に離隔した状態となる。この状態においては、突起が凹部から脱離しているので、第２回転体を一方向の逆方向に回転させることができる。したがって、紐状体を第２回転体による巻き取りから解放することができ、紐状体を巻き取りと反対の長さ調整が可能となる。また、軸部を押し込みから解放することによって、撓み部の付勢力により保持体を元の位置に戻すことができる。
【００２１】
本発明に係る巻取装置は、前記第１回転体の中心部に設けられた貫通孔と、一面が前記第１回転体に対向している円板と、軸状をなし、前記円板の一面の中央部から突出し、前記貫通孔を挿通しており、前記軸部に固定されている突出部とを備えることを特徴とする。
【００２２】
本発明によれば、円板を第１回転体側に押し込むことにより、保持体を筐体の内面側に押し込むことができる。また、第２回転体を回転させた場合であっても、保持体の回転が規制されているので、円板は回転しない。したがって、円板の他面にロゴ等を表示した場合、該ロゴ等は、同じ向きを保つことができる。
【００２３】
本発明に係るランプは、上述の巻取装置を有する環状の接続体と、該接続体に接続されている照明部とを備えることを特徴とする。
【００２４】
本発明によれば、巻取装置の第１回転体を回転させることにより、目視をせずに、紐状体を巻き取り、容易に紐状体の長さを調整することができる。これにより、接続体の環の大きさを容易に調整することができ、接続体の締付け具合を調整することができる。また、照明部により光を照射することができる。
【００２５】
本発明に係るランプは、前記接続体は、二つの前記巻取装置と、前記二つの巻取装置夫々の前記筐体及び前記照明部を連結する伸縮可能な連結体と、前記巻取装置が備える紐状体を介して前記二つの巻取装置に接続され、前記照明部に電力を供給するバッテリー部とを備えることを特徴とする。
【００２６】
本発明によれば、連結体の伸縮により環の大きさを調整してランプを身体等に装着した後、巻取装置により紐状体の長さを調整し、接続体による締付けの程度を調整することができる。
【００２７】
本発明に係るランプは、前記二つの巻取装置は、前記紐状体を巻き取る方向が反対であることを特徴とする。
【００２８】
本発明によれば、二つの巻取装置の巻取方向が反対であるので、右手及び左手で第１回転体を同じ方向に回転させて、接続体の環の大きさを調整でき、操作性が向上する。
【００２９】
本発明に係るランプは、二本の紐状体と、該二本の紐状体を接続する接続部と、前記紐状体夫々を巻き取る二つの巻取装置と、該二つの巻取装置を連結する連結体と、該連結体に接続されている照明部とを備えることを特徴とする。
【００３０】
本発明によれば、紐状体、接続部、巻取装置及び連結体により環が形成され、巻取装置により紐状体を巻き取ることにより、環の大きさを調整することができる。これにより、装着におけるランプの締付けの程度を調整することができる。また、照明部により光を照射することができる。
【発明の効果】
【００３１】
本発明によれば、容易に紐状体の長さを調整することができる。
【図面の簡単な説明】
【００３２】
【図１】実施の形態１に係るヘッドランプの模式的な外観斜視図である。
【図２】巻取装置の分解斜視図である。
【図３】ストッパーの背面斜視図である。
【図４】リールの背面斜視図である。
【図５】接続されたリール及びストッパーを示す側面図である。
【図６】接続されたストッパー及びスイッチを示す側断面図である。
【図７】ストッパーを収容した収容体の正面図である。
【図８】実施の形態２に係る巻取装置が備えるストッパーの背面斜視図である。
【発明を実施するための形態】
【００３３】
以下本発明に係る巻取装置及びヘッドランプについてその実施の形態を示す図面に基づいて詳述する。
（実施の形態１）
図１は実施の形態１に係るヘッドランプの模式的な外観斜視図である。図１において、ヘッドランプ１は、図中に矩形の箱体として略示する照明部１０及びバッテリー部１１と、照明部１０及びバッテリー部１１が接続されている環状の接続体１２とを備える。該接続体１２は、一本の伸縮性のバンド１３、接続板１４、ワイヤ２，２を各一本保持する二つの巻取装置３，３を備える。
【００３４】
照明部１０は、外向きの先端部から発光し、基端部にバンド１３が挿通するベルト通し部１０ａを有する。接続板１４は、バッテリー部１１の一側面に取り付けられている。照明部１０及びバッテリー部１１は接続体１２の円環の外側に位置する。バンド１３の両端部は夫々、巻取装置３，３に接続されている。各ワイヤ２は、接続板１４の両端面に接続体１４の内部を貫通するように設けられた穴１４ａを、長さ方向に移動可能に挿通して折り返しており、両端部が後述の巻取装置３，３の内部に導入され、保持されている。
【００３５】
巻取装置３は、後述のダイヤル３３を一方向に回転させることにより、ワイヤ２を一端部側から巻き取る。二つの巻取装置３，３において、ワイヤ２の巻取方向は、反対方向となっている。
【００３６】
照明部１０及びバッテリー部１１には、バッテリー部１１から照明部１０に電力を供給する電力供給線１５が接続されている。照明部１０は、図示しないスイッチによりオンオフが切り替わり、光を照射する。一の巻取装置３には、後述する筐体の外面に電力供給線１５を支持する支持体１６が設けられている。
【００３７】
上記の如く構成されたヘッドランプ１の使用態様について説明する。ヘッドランプ１の接続体１２の円環内に頭部を挿入する。このとき、バンド１３の伸縮性により、頭部の大きさに合わせて、頭部の挿入が容易となる。ここで、ヘッドランプ１は、装着した場合に、照明部１０が使用者の前側に位置し、巻取装置３が頭部の右側及び左側に位置し、バッテリー部１１が後側に位置するように構成されている。巻取装置３が左右に位置しており、ヘッドランプ１を頭部に装着した場合に重量のバランスが保たれる。
【００３８】
頭部を接続体１２の円環内に挿入した後、使用者が接続体１２の締付けがゆるいと感じた場合、ダイヤル３２を回転させることにより、ワイヤ２が巻取装置３に巻き取られ、ワイヤ２の円環内における長さが短くなり、ヘッドランプ１の締付けがきつくなる。これにより、ヘッドランプ１を頭部に、よりフィットさせることができる。
【００３９】
このとき、巻取装置３は、二つ設けられているので、右手若しくは左手又は両手でヘッドランプの締付けの程度の調整が可能である。また、２つの巻取装置３，３において、ワイヤ２の巻き取り方向は反対としている。これにより、二つの巻取装置３の一方を右手及び左手で左右対称に同じ方向に操作できるので、ヘッドランプ１の操作性が向上する。更に、支持体１６により電力供給線１５を支持することにより、ヘッドランプ１の取り扱いの際、電力供給線１５が邪魔になることを防止できる。
【００４０】
図２は、巻取装置３の分解斜視図である。図２は、正面側から見た場合を示す。巻取装置３は、ストッパー３０と、リール３１と、蓋体３２と、ダイヤル３３と、スイッチ３４と、収容体３５とを備える。図３は、ストッパー３０の背面斜視図であり、図４は、リール３１の背面斜視図である。
【００４１】
ストッパー３０は、例えばＰＯＭ（polyoxymethylene）により形成されており、円板状をなしており、正面の中央部から軸部３０１が突出し、中心部には、円形孔３０２が貫設されている。ストッパー３０の外周面には、外側に突出する四つの係止体３０３が等間隔に設けられている。
【００４２】
ストッパー３０の一面には、断面が直角台形状であり、全体が四角錐台状の突起３０４が複数設けられている（図２においては４個）。突起３０４は、軸部３０１を中心とした周上に等間隔に並んでいる。突起３０４は、基端部側から突出端部側に向けて先細り形状である。また、各突起３０４の斜面における傾斜の向きは、前記周の一方向に沿って同一である。
【００４３】
更に、ストッパー３０には、突起３０４よりも内側に３つの長孔３０５が貫設されている。各長孔３０５は、円弧状をなしており、一の円周上に沿って並べて形成されている。長孔３０５の一端側の内面には、長孔３０５に沿って延びる撓み部３０６が設けられている。撓み部３０６の一端部は、長孔３０５の一端側の内面からストッパー３０の背面側に突出し、撓み部３０６の他端部は、前記一端部の突出端側から長孔３０５の他端側に向けて延びている。撓み部３０６の他端部には、ストッパー３０の反対側に突出し、後述の収容室３５１の底面に接する凸体３０７が設けられている。以上の如く、撓み部３０６は、ストッパー３０の背面から突出し、凸体３０７により収容室３５１の底面に接している。撓み部３０６は、凸体３０７側から力が加わることにより、長孔３０５側、即ちストッパー３０の軸方向に撓み、該力から解放された場合、付勢力により元の位置に戻る。
【００４４】
リール３１は、円柱状の巻き胴３１ａと、巻き胴３１ａの一端側に位置する大径の第１鍔部３１ｂ、他端側に位置する第２鍔部３１ｃとを有する。リール３１は、中心部に円形の貫設孔３１０を有する。
【００４５】
第１鍔部３１ｂは、正面から突出する複数の第１挿入体３１１及び第２挿入体３１２（図２においては各３個）を有する。第１挿入体３１１及び第２挿入体３１２は、貫設孔３１０の周囲に周上に、等間隔で交互に並んでいる。第１挿入体３１１は、先端部にて中心側に突出する係合爪３１３を有する。係合爪３１３は、断面が三角形状であり、先端部側に向けて先細りのテーパ状をなしている。
【００４６】
図４に示すように、第２鍔部３１ｃの背面の周縁部には、複数（図４においては６個）の第１凹部３１４が等間隔に並んでいる。第１凹部３１４は、正面側に向けて凹んでおり、底面が第２鍔部３１ｃの外周面に連なっている。また、第２鍔部３１ｃは、隣り合う第１凹部３１４の間に夫々位置する複数（図４においては６個）の第２凹部３１５を有する。第２凹部３１５は、周面から中心側に凹んでおり、軸方向に貫通している。第１凹部３１４及び第２凹部３１５には、後述のように突起３０４が挿脱される。
【００４７】
第１鍔部３１ｂの正面には、背面側に凹み、貫設孔３１０に連なる単一の第３凹部３１６が設けられている。第３凹部３１６は、一の第２凹部３１５に対応するように、軸方向の反対側に設けられている。第３凹部３１６は、リール３１の径方向の外側部分において、第１鍔部３１ｂを貫通しており、巻き胴３１ａの外周面に連なっている。更に、リール３１は、前記一の第２凹部３１５の内側に設けられ、前記一の第２凹部３１５と、巻き胴３１ａの外周面に連なる貫通孔３１７を有する。ワイヤ２の一端部は、リール３１において、貫通孔３１７を挿通させ、巻き胴３１ａの外周面に沿わせて第３凹部３１６を挿通させて、第３凹部３１６の底面にかしめて固定される。これにより、リール３１の回転によりワイヤ２が巻き胴３１ａの外周面に巻き取られる。なお、ワイヤ２の一端部は、リール３１の回転によりワイヤ２の巻き取りが可能であれば、巻取装置３のいずれの箇所に固定してもよく、例えば、巻き胴３１ａの外周面にかしめて固定してもよい。
【００４８】
図５は、接続されたリール３１及びストッパー３０を示す側面図である。軸部３０１は、リール３１の貫設孔３１０に、リール３１がストッパー３０に対して軸回りに回転可能に挿入されている。これにより、ストッパー３０はリール３２を回転可能に保持する。
【００４９】
図５に示すように第１凹部３１４又は第２凹部３１５に突起３０４が挿入されている場合、リール３１の一方向への回転に伴って、突起３０４の傾斜によりストッパー３０は、円滑に収容体３５の底面側に押し込まれて移動する。これにより、第１凹部３１４又は第２凹部３１５から突起３０４が脱離し、撓み部３０６は凸体３０７側から力が加わり、長孔３０５側に撓んだ状態となる。
突起３０４が第１凹部３１４及び第２凹部３１５から脱離している場合、リール３１の一方向への回転に伴って、突起３０４が第１凹部３１４又は第２凹部３１５に対向する位置まで移動する。このとき、撓み部３０６の付勢力により、ストッパー３０が元の位置に戻り、突起３０４が第１凹部３１４又は第２凹部３１５に挿入される。以上のように、リール３１の回転に連動させて、第１凹部３１４及び第２凹部３１５に突起を挿脱できる。
【００５０】
一方、逆方向の回転は、突起３０４における第２鍔部３３ｂの背面に垂直な面が、第１凹部３１４又は第２凹部３１５の壁面に当たることにより、規制される。したがって、リール３２の回転方向が一方向に決まり、操作性が向上する。
【００５１】
突起３０４が第１凹部３１４に挿入されている場合、突起３０４の突出端面が第１凹部３１４の底面に接する。これにより、突起３０４が第１凹部３１４に挿入される度に、突起３０４の突出端面が第１凹部３１４の底面に衝突し、音が発生する。したがって、巻取装置３においては、リール３１を回転させる度に音が発生し、使用者は、ダイヤル３３の回転によるワイヤ２の巻き取りを容易に認識することができる。更に、突起３０４及び第１凹部３１４が複数設けられているので、リール３１が一回転する間の音の発生回数が多くなり、巻き取りの程度をより認識しやすい。
【００５２】
ダイヤル３３は、円盤状をなし、正面には、同軸の円形で有底の穴部３３０が設けられている。該穴部３３０の底面には、中央に円形の大孔３３１が貫設され、大孔３３１の周囲に複数（図２においては３個）の矩形の第１小孔３３２及び複数（図２においては３個）の矩形の第２小孔３３３が交互に貫設されている。なお、ダイヤル３３は、円盤状でなく、矩形又は星形等その他の形状であってもよい。
第１小孔３３２は、第２小孔３３３よりも大きい孔であり、内面において、第１小孔３３２の中心側部分から外側に向けて突出している突出体３３４を有する。
【００５３】
蓋体３２は、多角形平板状をなし、第１挿入体３１１及び第２挿入体３１２が並ぶ周の径よりも大きい径の開口３２０が貫設されている。ダイヤル３３の径及び第１鍔部３１ｂの径は、開口３２０の径よりも大きい。蓋体３２の正面側にダイヤル３３が配され、背面側にリール３１が配され、蓋体３２は、ダイヤル３３及びリール３１の第２鍔部３１ｃに挟まれる。また蓋体３２は、収容体３５の後述する開口に取り付けられる。
【００５４】
リール３１の第１挿入体３１１及び第２挿入体３１２は、蓋体３２の開口３２０を挿通し、ダイヤル３３の第１小孔３３２及び第２小孔３３３に挿入される。これにより、ダイヤル３３及びリール３１を回転方向に係止することができ、ダイヤル３３の回転に連動させて、リール３１を回転させることができる。また、第１挿入体３１１の係合爪３１３が突出体３３４に係合し、ダイヤル３３及びリール３１が軸方向に係合する。第２挿入体３１２は、第１挿入体３１１よりも突出長が長く、ガイドの役割を果たす。
以上のように、ダイヤル３３は、収容体３５の外部において回転可能に配されている。
【００５５】
スイッチ３４は、円板状をなし、スイッチ３４の背面の中央部には、円筒状をなし、筐体３０側に突出する突出部３４０が設けられている。突出部３４０に内面には、雌ねじ部３４１が設けられている。突出部３４０は、ダイヤル３３の大孔３３１を挿通する。
【００５６】
図６は、接続されたストッパー３０及びスイッチ３４を示す側断面図である。巻取装置３は、スクリュー３６を備え、スクリュー３６は頭部３６０及び雄ねじ部３６１を有する。雄ねじ部３６１は、ストッパー３０の円形孔３０２を挿通し、スイッチ３４の突出部３４０の雌ねじ部３４１に螺合する。これにより、ストッパー３０及びスイッチ３４は互いに固定され、スイッチ３４は、ストッパー３０に対する軸回りの回転が規制される。また、軸部３０１及び突出部３４０は、内部に段差を有し、該段差の嵌め合いにより回転方向に位置決めされる。
【００５７】
収容体３５は、蓋体３２に対応する形状で、多角形の薄型の筐状をなしており、正面に開口を有する。収容体３５は、内部に円形の収容室３５１を有し、収容室３５１の側壁には、係止孔３５２が貫設されている。収容体３５の底面には、収容室３５１の外側にワイヤ２の他端部が固定されるワイヤ固定部３５３が設けられている。収容体３５の外側面には、ベルト１５の端部が挿通するベルト挿通部３５４が設けられている。収容体３５の外壁において、ベルト挿通部３５４の反対側に、ワイヤ２を収容体３５の外部に引き出すための二つの引き出し凹部３５５，３５５が設けられている。
【００５８】
図７は、ストッパー３０を収容した収容体３５の正面図である。係止体３０３は、係止孔３５２に挿入され、これにより、ストッパー３０は、収容体３５に対しての軸回りの回転が規制される。したがって、ダイヤル３３を回転させた場合に、スイッチ３４は回転しないので、スイッチ３４の他面にロゴ等を表示した場合、該ロゴ等は、同じ向きを保つことができる。
【００５９】
スイッチ３４をダイヤル３３側に押し込むことにより、ストッパー３０を収容体３５の底面側に押し込むことができる。これにより凸体３０７を介して力が加わり、長孔３０５側に撓み部３０６が撓み、ストッパー３０及びリール３１を軸方向に離隔し、突起３０４が第１凹部３１４，第２凹部３１５から脱離した状態となる。このとき、リール３１は一方向と逆方向に回転できる状態となる。したがって、ワイヤ２をリール３１による巻き取りから解放させることができ、ワイヤ２における巻き取りと反対方向に長さ調整が可能となる。したがって、使用者がヘッドランプ１の締付けがきついと感じた場合、スイッチ３４を押すことにより、頭部の大きさに合わせて、ワイヤ２がリール３１による巻き取りから解放され、ヘッドランプ１をより頭部にフィットさせることができる。
【００６０】
上述の如く構成された巻取装置３において、ダイヤル３３を一方向に回転させることにより、リール３１を回転させ、巻き胴３１ａの外周面にワイヤ２を巻き取ることができる。したがって、巻取装置３により、容易にワイヤ２の長さを調整することができる。ヘッドランプ１において、上述の如く接続体１２の環の大きさを調整して締付けの程度を変更し、頭部にフィットさせることができる。
【００６１】
なお、接続体１２は、ベルト１３の一端部を接続板１４に直接接続する等し、一つの巻取装置３を有するように構成してもよい。バッテリー部１１は、接続板１４ではなく、照明部１０に直接取り付けるように構成してもよい。また、巻取装置３の巻き取りにより大きさを調整可能に、環状を形成していれば、接続体１２はいかなる態様であってもよい。更に、ダイヤル３３の背面に挿入体を設け、リール３１の第１鍔部３１ｂに該挿入体を挿入する挿入孔を設けて、ダイヤル３３及びリール３１を互いに係止させてもよい。また、突起３０４は、四角錐台形状に限られず、リール３１を一方向に回転させ、逆方向の回転を規制できれば、四角錐状又は円錐状等その他の形状であってもよい。更に、ストッパーの材質はＰＯＭに限られず、その他樹脂等の材料により形成してもよい。
【００６２】
（実施の形態２）
実施の形態２においては実施の形態１とストッパーの形状が異なる。図８は、実施の形態２に係る巻取装置３が備えるストッパー３０の背面斜視図である。実施の形態２に係る巻取装置３の構成について、実施の形態１と同様な構成については、同一の符号を付してその詳細な説明を省略する。
【００６３】
実施の形態２に係るストッパー３０は、実施の形態１と同様に、円板状をなしており、円形孔３０２、及び四つの係止体３０３を備え、正面側に軸部３０１、４個の突起３０４を備える。また、ストッパー３０は、実施の形態１に係る長孔３０５及び撓み部３０６に代えて、四つの矩形孔３０８及び撓み部３０９を備える。
【００６４】
矩形孔３０８は、円形孔３０２の周囲に貫設されている。矩形孔３０８は、突起３０４間に対応する位置において、該矩形孔３０８を挟む一の突起３０４から他の突起３０４にかけて長く、隣り合う矩形孔３０８は直角をなすように形成されている。矩形孔３０８の一の短辺部の内面には、ストッパー３０の背面から突出し、該矩形孔３０８の長手方向に沿って延びる撓み部３０９が設けられている。隣り合う撓み部３０９は互いに直角をなすように延びる。撓み部３０９は、背面側に凸となるように弧状をなしており、円弧の外側が、後述の収容室３５１の底面に接し、円弧の内側は、ストッパー３０の背面側に臨んでいる。撓み部３０９は、円弧の外側から力が加わることにより、矩形孔３０８側、即ちストッパー３０の軸方向に撓み、該力から解放された場合、付勢力により元の位置に戻る。
【００６５】
上記ストッパー３０を備える巻取装置３においても、実施の形態１と同様の作用効果を奏し、巻取装置３により、容易にワイヤ２の長さを調整することができる。また、実施の形態２に係る巻取装置を備えるヘッドランプ１においても、上述の如く接続体１２の環の大きさを調整して締付けの程度を変更し、頭部にフィットさせることができる。
【００６６】
今回開示された実施の形態はすべての点で例示であって、制限的なものではないと考えるべきである。本発明の範囲は、上記した意味ではなく、特許請求の範囲によって示し、特許請求の範囲と均等の意味と範囲内でのすべての変更を含むことを意図している。即ち、本発明の技術的範囲は、請求項に示した範囲で適宜変更した技術的手段を組み合わせた実施形態も含む。
【符号の説明】
【００６７】
１  ヘッドランプ（ランプ）
１０  照明部
１１  バッテリー部
１２  接続体
１３  バンド（連結体）
１４  接続板（接続部）
１５  電力供給線
２０  ワイヤ（紐状体）
３  巻取装置
３０  ストッパー（保持体）
３０１  軸部
３０３  係止体
３０４  突起
３０６，３０９  撓み部
３１  リール（第２回転体）
３１０  貫設孔
３１１  第１挿入体（挿入体）
３１２  第２挿入体（挿入体）
３１４  第１凹部（凹部）
３１５  第２凹部（凹部）
３３  ダイヤル（第１回転体）
３３１  大孔（貫通孔）
３３２  第１小孔（挿入孔）
３３３  第２小孔（挿入孔）
３４  スイッチ（円板）
３４０  突出部
３５  収容体（筐体）
３５２  係止孔
【図１】
2018165206.tif 000003
【図２】
2018165206.tif 000004
【図３】
2018165206.tif 000005
【図４】
2018165206.tif 000006
【図５】
2018165206.tif 000007
【図６】
2018165206.tif 000008
【図７】
2018165206.tif 000009
【図８】
2018165206.tif 000010
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
筐体と、
該筐体の外部に配され、軸回りに回動可能である第１回転体と、
円盤状をなし、前記筐体に収容され、前記第１回転体に対向しており、前記第１回転体の回転に連動して、軸回りに回転可能である第２回転体と、
前記筐体から引き出されており、前記第２回転体の回転により前記第２回転体の周面に巻き取られる紐状体と、
円板状をなし、一面が前記筐体の内面に対向し、他面が前記第２回転体に対向しており、軸方向に移動可能であり、軸回りの回転が規制されている保持体と、
該保持体の一面から突出し、前記筐体の前記内面に接し、軸方向に撓むことが可能である撓み部と、
前記保持体の他面から前記第２回転体側に突出し、基端部から突出端部かけて前記第２回転体の回転に係る一方向に沿って傾斜しており、周上に並ぶ複数の突起と、
前記第２回転体に設けられ、前記突起が挿入される複数の凹部と
を備えることを特徴とする巻取装置。
【請求項２】
前記第１回転体及び前記第２回転体の内の一方における対向面から対向方向に突出しており、周上に並ぶ複数の挿入体と、
前記第１回転体及び前記第２回転体の内の他方に設けられ、前記挿入体夫々が挿入される複数の挿入孔と
を備えることを特徴とする請求項１に記載の巻取装置。
【請求項３】
前記突起が前記凹部に挿入されている場合、前記突起の突出端面は、前記凹部の底面に接することを特徴とする請求項１又は請求項２に記載の巻取装置。
【請求項４】
前記保持体の周面から径方向に突出する係止体と、
前記筐体の内部に設けられ、前記係止体が挿入される係止孔と
を備えることを特徴とする請求項１から請求項３までのいずれか一つに記載の巻取装置。
【請求項５】
前記第２回転体の中心部に貫設されている貫設孔と、
前記保持体の他面の中心部から突出し、前記貫設孔を挿通し、前記第２回転体を回転可能に保持する軸部と
を備えることを特徴とする請求項１から請求項４までのいずれか一つに記載の巻取装置。
【請求項６】
前記第１回転体の中心部に設けられた貫通孔と、
一面が前記第１回転体に対向している円板と、
軸状をなし、前記円板の一面の中央部から突出し、前記貫通孔を挿通しており、前記軸部に固定されている突出部と
を備えることを特徴とする請求項５に記載の巻取装置。
【請求項７】
請求項１から６までのいずれか一つに記載の巻取装置を有する環状の接続体と、
該接続体に接続されている照明部と
を備えることを特徴とするランプ。
【請求項８】
前記接続体は、
二つの前記巻取装置と、 
前記二つの巻取装置夫々の前記筐体及び前記照明部を連結する伸縮可能な連結体と
前記巻取装置が備える紐状体を介して前記二つの巻取装置に接続され、前記照明部に電力を供給するバッテリー部と
を備えることを特徴とする請求項７に記載のランプ。
【請求項９】
前記二つの巻取装置は、前記紐状体を巻き取る方向が反対であることを特徴とする請求項８に記載のランプ。
【請求項１０】
二本の紐状体と、
該二本の紐状体を接続する接続部と、
前記紐状体夫々を巻き取る二つの巻取装置と、
該二つの巻取装置を連結する連結体と、
該連結体に接続されている照明部と
を備えることを特徴とするランプ。